(57)【要約】【課題】電気自動車やプラグインハイブリッド自動車等の充電に用いる充電接続ケーブルを、簡単にコンパクトに収納できる自動車用充電接続ケーブル収納箱を提供する。【解決手段】自動車用充電接続ケーブル４の一端には自動車と接続する自動車側コネクタ２を備え、他端には充電装置１１と接続する充電装置側コネクタ３を備えた自動車用充電接続ケーブル４と、該ケーブルを端部側から箱体外に引き出し自在に収納した箱体１を有する自動車用充電接続ケーブル収納箱。【選択図】図１
2010115037.tif 000002
【特許請求の範囲】
【請求項１】
一端に自動車と接続する自動車側コネクタを備え、
他端に充電装置と接続する充電装置側コネクタを備えた自動車用充電接続ケーブルと、
該ケーブルを端部側から箱体外に引き出し自在に収納した箱体を有することを特徴とする自動車用充電接続ケーブル収納箱。
【請求項２】
充電装置側コネクタの近傍に備えた漏電遮断機能付き保護装置を箱体に内蔵したことを特徴とする請求項１記載の自動車用充電接続ケーブル収納箱。
【請求項３】
請求項１または２記載の自動車用充電接続ケーブル収納箱を
充電装置の外部に脱着自在に備えたことを特徴とする自動車用充電装置。
【請求項４】
請求項１または２記載の自動車用充電接続ケーブル収納箱を
充電装置の内部に脱着自在に備えたことを特徴とする自動車用充電装置。
【請求項５】
充電装置と自動車とを接続する充電接続ケーブルに保護装置を設け、
該充電接続ケーブルは保護装置と自動車との間に自動車側のバッテリー充電情報を通信する通信回路を形成するための通信線が組み込まれ、
保護装置は、該通信線を介して自動車から読み込んだ自動車バッテリー充電情報を、該保護装置の外部に通信する通信部を備え、
充電装置は、該通信部からの通信を読み取る読取装置を備えたことを特徴とする請求項３または４記載の自動車用充電装置。
【発明の詳細な説明】
【技術分野】
【０００１】
本発明は自動車用充電接続ケーブル収納箱及び充電装置に関するものである。
【背景技術】
【０００２】
電気自動車やプラグインハイブリッドカーの充電は、車載バッテリーと充電装置を、充電接続ケーブルを用いて接続して行われる。充電装置としては、パブリックスペースに設置された急速充電スタンドや、各家庭の駐車場で充電を行う際に用いられる充電ボックス等が考えられる。
【０００３】
充電接続ケーブルに関しては、例えば特許文献１に記載のように、充電装置本体に備えられており、ガソリンスタンドの給油ホースと同様に、充電装置使用時に充電装置からケーブルを引き出して自動車側のケーブル差込み口に差し込んで使用するタイプがある。このように充電装置一体型の充電接続ケーブルとした場合には、車側に充電接続ケーブルを積載しておく必要はない利点がある。その半面、ケーブル用漏電遮断リレーや、充電情報処読込処理装置等が全て充電装置側に備えられた構造となっているため、充電装置自体が大掛かりなものになり、設置スペースが制限される問題点がある。今後、電気自動車の一般への普及に向けて充電装置の普及が求められる中、前記の設置スペース問題の観点からは、自動車積載型の充電接続ケーブルに対応した充電用コンセントを備えたタイプの充電装置が普及していくことが考えられる。
【０００４】
一方、充電接続ケーブルを自動車一体型形式とした場合には、漏電事故防止のための漏電遮断機能や、充電情報処読込処理機能を備えたケーブルとすることが必要である。このような、重たく嵩張る充電接続ケーブルを、常に車内に積載しておくことは、自動車の燃費効率の観点から好ましくない。
【０００５】
そこで、充電接続ケーブルを独立型ケーブルとして、ガレージ等に保管しておき、使用時に充電装置と自動車にそれぞれ接続して使用することが考えられるが、重たく嵩張る充電接続ケーブルを独立型ケーブルとして、充電時ごとに持ち運びし、自動車側及び充電装置側のそれぞれに脱着作業を行う事は煩雑であるという問題もある。
【特許文献１】実用新案登録第３０７４２０８号公報
【発明の開示】
【発明が解決しようとする課題】
【０００６】
本発明の第一の目的は前記問題を解決し、電気自動車やプラグインハイブリッド自動車等の充電に用いる充電接続ケーブルを、簡単に、持ち運びしやすく収納できる自動車用充電接続ケーブル収納箱を提供することである。本発明の第二の目的は、当該自動車用充電接続ケーブル収納箱を脱着自在に備え、ケーブル一体型自動車用充電装置としてもケーブル独立型自動車用充電装置としても使用可能な自動車用充電装置を提供することである。
【課題を解決するための手段】
【０００７】
上記課題を解決するためになされた本発明の自動車用充電接続ケーブル収納箱は、一端に自動車と接続する自動車側コネクタを備え、他端に充電装置と接続する充電装置側コネクタを備えた自動車用充電接続ケーブルと、該ケーブルを端部側から箱体外に引き出し自在に収納した箱体を有することを特徴とするものである。
【０００８】
請求項２記載の発明は、請求項１記載の自動車用充電接続ケーブル収納箱において、充電装置側コネクタの近傍に備えた漏電遮断機能付き保護装置を箱体に内蔵したことを特徴とするものである。
【０００９】
請求項３記載の自動車用充電装置は、請求項１または２記載の自動車用充電接続ケーブル収納箱を充電装置の外部に脱着自在に備えたことを特徴とするものである。
【００１０】
請求項４記載の自動車用充電装置は、請求項１または２記載の自動車用充電接続ケーブル収納箱を充電装置の内部に脱着自在に備えたことを特徴とするものである。
【００１１】
請求項５記載の発明は、請求項３または４記載の自動車用充電装置において、充電装置と自動車とを接続する充電接続ケーブルに保護装置を設け、該充電接続ケーブルは保護装置と自動車との間に自動車側のバッテリー充電情報を通信する通信回路を形成するための通信線が組み込まれ、保護装置は、該通信線を介して自動車から読み込んだ自動車バッテリー充電情報を、該保護装置の外部に通信する通信部を備え、充電装置は、該通信部からの通信を読み取る読取装置を備えたことを特徴とするものである。
【発明の効果】
【００１２】
本発明に係る自動車用充電接続ケーブル収納箱は、一端に自動車と接続する自動車側コネクタを備え、他端に充電装置と接続する充電装置側コネクタを備えた自動車用充電接続ケーブルを、該ケーブルの一部を箱体外に引き出し自在に収納した箱体として構成することにより、充電接続ケーブルを、簡単に、持ち運びしやすく収納できるようになった。
【００１３】
請求項２記載の発明によれば、自動車用充電接続ケーブル収納箱体内にケーブルの漏電遮断機能を組み込むことにより、専用の充電装置を用いずに当該自動車用充電接続ケーブル収納箱のみを使用して、充電可能となる。専用の充電装置が高額であることが、電気自動車普及の妨げの一因であるとすると、当該自動車用充電接続ケーブル収納箱のみを購入して、例えば、家庭用屋外コンセント等を用いた充電を可能としたことにより、本発明は電気自動車の普及に資する効果を有する。
【００１４】
請求項３記載の発明によれば、必要に応じて、ケーブル一体型充電装置あるいはケーブル独立型自動車用充電装置を自在に選択することができる。
【００１５】
請求項４記載の発明によれば、請求項３の効果に加え、よりコンパクトな充電装置を実現できる。また、自動車用充電接続ケーブル収納箱を充電装置の内部に収納するため、光、風雨等による劣化を防ぐことができる。
【００１６】
請求項５記載の発明によれば、充電装置に充電情報を伝達して、当該充電情報の表示や、当該充電情報に基づく充電制御を行うことができる。
【発明を実施するための最良の形態】
【００１７】
以下に本発明の好ましい実施形態を示す。
（第一の実施形態）
図１には本発明の自動車用充電接続ケーブル収納箱の正面側説明図を示し、図２には背面側全体図を示している。図３は本発明に係る自動車用充電装置の第一の実施形態におけるケーブル収納箱接続状態全体説明図を示し、図４は本発明に係る自動車用充電装置の第一の実施形態の全体斜視図を示している。
【００１８】
図１、図２において、１は自動車用充電接続ケーブル収納箱、２は自動車側コネクタ、３は充電装置側コネクタ、４は充電接続ケーブルを示している。充電接続ケーブル４は、コードリール８に巻き取られて、引き出し自在に収納されている。
【００１９】
自動車側コネクタ２は、自動車側コネクタ保持部１０に係止されて収納されており、当該保持部１０を覆うカバー５が開閉自在に設けられている。カバー５は、図１に示すように着脱式でも良いし、またはカバー５の端部を自動車用充電接続ケーブル収納箱１にヒンジにて回動自在に支持してもよい。車両充電時には、保持部１０から外されて箱体外部に引き出される。
【００２０】
充電装置側コネクタ３は、自動車用充電接続ケーブル収納箱１の背面部分に形成されている。充電装置側コネクタ３の近傍には、漏電遮断機能を有する保護装置１３が備えられ箱体１内部に固定されている。保護装置１３は、その人体保護機能の観点から、充電装置側コネクタ３から一定の距離以内に設けられる。
【００２１】
充電装置１１と自動車とを接続する充電接続ケーブル４には、保護装置１３を設けている。充電接続ケーブル４には、保護装置１３と自動車との間に自動車側のバッテリー充電情報を通信する通信回路を形成するための通信線が組み込まれている。保護装置１３には、該通信線を介して自動車から読み込んだ自動車バッテリー充電情報を、該保護装置１３の外部に通信する通信部６を設けている。ケーブル収納箱１には、当該通信部６からの通信信号の伝達を阻害しない素材からなる通信窓口６aが設けられている。ただし、保護装置１３の設置位置はケーブル収納箱１内部に限定されるものではなく、充電装置側コネクタ３と共にケーブル収納箱１の外部で移動自在とすることが可能なものとしてもよい。
【００２２】
自動車用充電接続ケーブル収納箱１外部には、取手部９を設け、持ち運びを容易にしている。当該取手部９は、また、自動車用充電接続ケーブル収納箱１が充電装置１１に取り付けられる際には、充電装置１１側に設けられた固定具１５に当該取手部９を引掛けて固定させることができる。
【００２３】
自動車用充電接続ケーブル収納箱１外部には、その他にも、自動車用充電接続ケーブル収納箱１を充電装置１１に取り付けるための取付手段７が設けられている。取付手段７は、特に限定されず、例えば、充電装置１１との間で係止構造を形成するものでも良いし、またはマグネットを用いるもでも良い。自動車用充電接続ケーブル収納箱１を充電装置１１に取り付ける位置も、特に限定されるものではなく、充電装置１１の側面・扉面・天井面・底面の何れに取り付けても良く、また、取り付け状態をロックして自動車用充電接続ケーブル収納箱１の盗難を防止するロック機構を備えることもできる。
【００２４】
第一の実施形態では、図３に示すように、自動車用充電接続ケーブル収納箱１の充電装置側コネクタ３を充電装置１１に設けられたコンセント部１７に差し込んだ後に、前記の取付手段７により自動車用充電接続ケーブル収納箱１と充電装置１１を固定して、図４に示すケーブル一体型充電装置の状態とすることができる。コンセント部１７は凹状に形成されている。なお、前記の通信窓口６aに対峙する位置には、読取窓口１４aが設けられ、前記の通信部６から充電装置内部に配置された読取装置１４への通信信号の伝達を阻害しない構造としている。通信信号は、非接触型のLEDや無線等を利用することが好ましいが、有線を利用することもできる。当該通信信号として、自動車側の充電準備情報を伝達し、充電準備が整った後に充電を開始するシステムとすることもできる。
なお、バッテリー充電情報は通信線を介して自動車側より入力されるものに限らず、保護装置内で検出された信号、若しくは演算した情報をバッテリー充電情報として通信部６に出力するものとしてもよい。
保護装置内で検出された信号としては、漏電等の異常を検出する異常検出部からの異常信号や接点の溶着等の異常信号等がある。また、保護装置内の演算部で演算した情報としては充電時間及び供給電圧より電気料金を演算した結果などがある。
これにより、自動車を含めた充電システム内の充電情報を充電装置側で一括して把握することが可能となる。
【００２５】
（第二の実施形態）
図５には、本発明の自動車用充電装置の第二の実施形態の全体構造説明図を示している。第二の実施形態に係る充電装置は、自動車用充電接続ケーブル収納箱１を充電装置１１の側面に脱着自在に備えた構造であって、基本構造は第一の実施形態と同様である。
【００２６】
第二の実施形態では、前記の取手部９を第一の実施形態と反対側に設け、自動車用充電接続ケーブル収納箱１が充電装置１１に取り付けられる際に、充電装置１１側に設けられた固定具１５に引掛けて固定する構造としている。また、充電装置１１にケーブル収納箱搭載部１２を設けている。また、充電装置側コネクタ３を充電装置１１内部にまで引き込んで接続する構造としている。
この実施形態では、自動車用充電接続ケーブル収納箱１を充電装置１１に容易に取り付けることが可能である。また、実施形態１と同様に保護装置１３の通信部６から充電装置内部に配置された読取装置１４に自動車バッテリー充電情報を通信することが可能なものである。
【００２７】
（第三の実施形態）
図６には、本発明の自動車用充電装置の第三の実施形態の全体構造説明図を示している。第三の実施形態に係る充電装置は、自動車用充電接続ケーブル収納箱１を充電装置１１の内部に脱着自在に備えた構造を有している。自動車用充電接続ケーブル収納箱１の構造は第二の実施形態に用いたものと同様である。
この実施形態では、自動車用充電接続ケーブル収納箱１が充電装置１１の内部に収納したため、よりコンパクトな充電装置を実現できる。また、自動車用充電接続ケーブル収納箱１を充電装置１１の内部に収納するため、光、風雨等による劣化を防ぐことができる。
また、自動車用充電接続ケーブル収納箱１は、充電装置１１の外部に設置した場合と内部に設置した場合とを兼用することが可能なものである。
【００２８】
（他の実施形態）
図７には、本発明の自動車用充電接続ケーブル収納箱に係る、他の実施形態の全体構造説明図を示している。本実施形態は、自動車用充電接続ケーブル収納箱１を建物の壁面に設置された屋外コンセント１６に差し込んで充電を行うものである。
本実施形態によれば、専用の充電装置を用いることなく、自動車の充電が可能となる。なお、漏電遮断機能は、自動車用充電接続ケーブル収納箱１に備えた保護装置１３により担保されている。
【図面の簡単な説明】
【００２９】
【図１】本発明の自動車用充電接続ケーブル収納箱の正面側全体図である。
【図２】本発明の自動車用充電接続ケーブル収納箱の背面側全体図である。
【図３】本発明に係る自動車用充電装置の第一の実施形態におけるケーブル収納箱接続状態全体説明図である。
【図４】本発明に係る自動車用充電装置の第一の実施形態の全体斜視図である。
【図５】本発明の自動車用充電装置の第二の実施形態の全体構造説明図である。
【図６】本発明の自動車用充電装置の第三の実施形態の全体構造説明図である。
【図７】本発明の自動車用充電接続ケーブル収納箱に係る、他の実施形態の全体構造説明図である。
【符号の説明】
【００３０】
１  自動車用充電接続ケーブル収納箱
２  自動車側コネクタ
３  充電装置側コネクタ
４  充電接続ケーブル
５  カバー
６  通信部
６a  通信窓口
７  取付手段
８  コードリール
９  取手部
１０  自動車側コネクタ保持部
１１  充電装置
１２  ケーブル収納箱搭載部
１３  保護装置
１４  読取装置
１４a  読取窓口
１５  固定具
１６  屋外コンセント
１７  コンセント部
【図１】
2010115037.tif 000003
【図２】
2010115037.tif 000004
【図３】
2010115037.tif 000005
【図４】
2010115037.tif 000006
【図５】
2010115037.tif 000007
【図６】
2010115037.tif 000008
【図７】
2010115037.tif 000009